(57)【要約】【課題】  ケーブル錠等で、照明装置を施し、暗い所で開錠する際に鍵穴にキーの挿入を容易にすること。また、二輪車等に使用される小型のケーブル錠でもそれを可能とし、防水対策を施し屋外での使用に十分に耐えるものであること。【解決手段】  錠装置本体の鍵穴付近に発光ダイオード（ＬＥＤ）を埋設し、電源としてボタン電池を本体内部に装着し、防水性を高めるため、照明装置収納ケースと本体の嵌合部に防水パッキンを施し、本体収納外筒に装着される照明装置の樹脂製収納ケース表面のスイッチ部に軟質樹脂を一体成型し、内蔵されたスイッチを外部から押すことができ、それにより発光ダイオード（ＬＥＤ）が点灯し、光が鍵穴の誘導溝に反射し鍵穴を照らし、暗い所でもキーの挿入が容易となった。  また、より防水性を高める方法として、発光ダイオード（ＬＥＤ）とボタン電池とスイッチを密封内蔵し、一体化したカートリッジとして錠装置本体に着脱可能とする構造とした。【選択図】    図１
2006249903.tif 000002
【特許請求の範囲】
【請求項１】
発光ダイオード（ＬＥＤ）と電源としてのボタン電池とスイッチとで構成される照明装置を鍵穴付近に備え、暗い場所でも鍵穴を容易に目視でき、開錠する際にキーの挿入を容易にした錠装置。
【請求項２】
錠装置本体の照明装置収納部に雨水等の浸入を防止するため、錠装置本体と照明装置収納ケースの嵌合部にゴムパッキン等を用いての防水加工を施し、照明装置収納ケース表面に設けたスイッチ押部に軟質樹脂材を用い、一体成型することにより隙間をなくし、照明装置の防水性を高めた請求項１の錠装置。
【請求項３】
照明装置の光を反射する部分がキーの誘導溝を兼ね、キーの挿入を容易にした請求項１の錠装置。
【請求項４】
発光ダイオード（ＬＥＤ）とボタン電池とスイッチとをユニットとして密封し、カートリッジ式の照明装置とし、錠装置本体から容易に着脱を可能とした請求項１の錠装置。
【発明の詳細な説明】
【技術分野】
【０００１】  本発明は、錠装置本体の鍵穴付近に発光ダイオード（ＬＥＤ）を装着し、電源としてボタン電池を内蔵し、暗い所でもキーの挿入を容易にし、また防水性を高め、屋外での使用に十分耐えられる鍵穴照明付錠装置に関する。
【背景技術】
【０００２】  暗い所で錠装置の鍵穴にキーを挿し込むことは容易ではなく、キーの取っ手の部分に発光ダイオードを取り付け、懐中電灯のように鍵穴を照らすことができるものがあるが、キーの取っ手に発光ダイオードを取り付けたものは電池を内蔵することにより大きさと厚みが必要なためキーキャップが大きくなってしまい、また予備の鍵をすべて発光ダイオードを取り付けたものにすることはコストの面でも負担になった。更に水分が入り込むことによる腐食も生じるため、キーを付けたまま屋外放置ができなかった。一部の自動車のように鍵穴の周囲が光り、鍵穴を探しやすくしたものはあるが、鍵穴自体を直接照らすものではなく、また二輪車等の防犯に使用するケーブル錠は錠装置本体が小さく、自動車のような装置を付けることはできなかった。
【発明が解決しようとする課題】
【０００３】  錠装置本体に直接鍵穴を照らす照明装置を施すなどして、暗い所でも開錠の際にキーの挿入を容易にすること。また、二輪車等の防犯に使用するケーブル錠のような比較的小型の錠装置であってもそれを可能にし、防水性を高め屋外での使用に十分に耐えられるものとすること。
【０００４】  本発明は、二輪車等の盗難防止用に使用される比較的小型の錠装置においても、上記の課題を解決し、錠装置本体の鍵穴付近に防水対策を施した照明装置を有し、暗い所でもキーの挿入が容易な照明付錠装置の提供を目的とする。
【課題を解決する為の手段】
【０００５】  本発明は、錠装置本体の鍵穴付近に発光ダイオード（ＬＥＤ）と電源とするボタン電池と押し板スイッチとを内蔵し、照明装置収納ケース表面に押しボタン式スイッチを設けた。この照明装置は、発光ダイオード（ＬＥＤ）を使用し、電源としてボタン電池を使用するため、内蔵するスペースを余り必要としないため、小型のケーブル錠にも施すことができる。
【０００６】  本発明の照明付き錠装置は、本体内部の発光ダイオードの電極端子及びボタン電池の浸水による腐食または漏電防止のため、防水加工として照明装置収納ケースと錠装置本体との嵌合部に、ゴムまたは樹脂製の防水パッキンを施した。また、収納ケース表面の押しボタン式スイッチ部に軟質樹脂を用い、一体成型とすることで隙間をなくし更に防水機能を高めた。
【０００７】  本発明の錠装置は、照明装置を施した鍵穴付近をキーがよりスムーズに挿入できる擂り鉢状の誘導溝を兼ねた構造とした。
【０００８】  更に、より防水性を高める場合、発光ダイオードとボタン電池とスイッチを密封内蔵したカートリッジとし、錠装置本体に着脱可能とする構造を取ることも可能とした。
【発明の効果】
【０００９】  錠装置本体に取り付けた照明装置のスイッチを押すことにより、鍵穴付近に取り付けた発光ダイオード（ＬＥＤ）が点灯し、鍵穴を照らすことができるため、暗い所でもキーの挿入が容易にできる。
【００１０】  防水加工を施したことにより、施錠して屋外に放置して使用しても水分が内部に入り込むことがなく、発光ダイオードの電極端子およびリチウムボタン電池の腐食または漏電が起きることがない。
【００１１】  照明装置を施した鍵穴付近は、手前が広く奥に掛けて狭くなる擂り鉢状の形状とし、キーを差し込む際に誘導溝となり、よりスムーズにキーを挿し込むことができる。
【００１２】  錠装置本体と着脱可能としたカートリッジ式照明装置の場合、発光ダイオードとボタン電池とスイッチとを密封内蔵することにより、より防水性を高めることができる。
【発明を実施するための形態】
【００１３】  以下に、本発明の鍵穴照明付き錠装置について図面を参考にしながら詳細に説明する。
【実施形態１】
図１は、錠装置本体１の鍵穴１ｃ付近に照明装置として発光ダイオード（ＬＥＤ）５とボタン電池６と押し板スイッチ７とを内蔵し、防水パッキン４を挟み込んで取り付けられる樹脂製の収納ケース３の一部に軟質樹脂を用い一体成型し外側からスイッチを押せるようにした形態の構造図である。収納ケースの鍵穴１ｃを覆う部分は透明樹脂を使用し、擂り鉢状のキー誘導溝３ａとなっている。
【００１４】  図２は、図１に示される実施形態１の分解図である。照明装置の収納ケース３は錠装置本体１の鍵穴付近に取り付けられており、一方を嵌め込み、もう一方を取り付けビス８にて固定される。
【００１５】  図３の（ａ）図は、錠装置本体１の底部に照明装置を取り付けた場合の底面の外観図である。収納ケース部の一部は軟質樹脂を一体成型し内部のスイッチを外側より押せるようにした構造である。（ｂ）図は照明装置の収納ケース３の内部の構造図であるが、収納ケース３の軟質樹脂３ｂの部分を押すと内部の押し板スイッチ７がボタン電池６の電極に触れ、発光ダイオード（ＬＥＤ）５が点灯する構造であり、光は透明樹脂製のキー誘導溝３ａに反射し鍵穴が照らされる。
【００１６】［実施形態２］
図４は、照明装置部を着脱可能なカートリッジ９としたものであり、発光ダイオード（ＬＥＤ）５とボタン電池６と押し板スイッチ７とを密封内蔵することにより、より防水性を高めることができる。電池が消耗し交換する場合は一体式のカートリッジ９そのものを交換することになるが、発光ダイオードの場合は消費電力が極少なく、点灯時間が短いため、実際に電池交換を要するのは相当な期間を経過した後となる。
（ａ）図は、照明装置カートリッジ９を錠装置本体１に取り付ける前の説明図であり、（ｂ）図は、照明装置カートリッジ９を挿入し取り付けた場合の説明図である。（ｃ）図は、照明装置カートリッジ９を挿入し取り付けた場合の下から見た構造図であり、（ｄ）図は、その外観図である。
【００１７】  図５は、照明装置をユニット化したカートリッジの構造図であり、構成は実施形態１の場合と同様であるが、発光ダイオード（ＬＥＤ）５とボタン電池６と押し板スイッチ７とを密封しカートリッジとした点が異なる。
【００１８】  図６は、実施形態２の照明装置をカートリッジとした場合の別の実施例の説明図であり、錠装置本体１の形状が円形であり、鍵穴１ｃの位置が錠装置本体１の下部の狭い面である場合の実施例である。この実施例では、鍵穴が円形の錠装置本体１の外側にある形状であり、円形の錠装置本体１の中央付近に照明装置カートリッジの格納部１０を設け、透明樹脂製のキー誘導溝３ａに光りを反射させ、鍵穴１ｃの照明とする構造である。（ａ）図は、正面から見た照明装置の格納状態を示す構造図である。（ｂ）図は、側面から見た照明装置の格納途中の構造図である。（ｃ）図は、側面から見た照明装置の格納状態を示す構造図である。（ｄ）図は、鍵穴の位置を示す底面図である。
【図面の簡単な説明】
【図１】本発明の実施形態１の構造図である。
【図２】本発明の実施形態１の分解図である。
【図３】本発明の実施形態１の照明装置部の説明図である。
【図４】本発明の実施形態２の説明図である。
【図５】本発明の実施形態２の照明装置のカートリッジの説明図である。
【図６】本発明の実施形態２の別の実施例の説明図である。
【符号の説明】
１  錠装置本体
１ａ  本体収納外筒
１ｂ  キーシリンダー
１ｃ  鍵穴
２  ケーブル固定端子
３  収納ケース
３ａ  キー誘導溝
３ｂ  軟質樹脂部
４  防水パッキン
５  発光ダイオード（ＬＥＤ）
６  ボタン電池
７  押し板スイッチ
８  取付けビス
９  照明装置カートリッジ
１０  照明装置カートリッジ格納部
【図１】
2006249903.tif 000003
【図２】
2006249903.tif 000004
【図３】
2006249903.tif 000005
【図４】
2006249903.tif 000006
【図５】
2006249903.tif 000007
【図６】
2006249903.tif 000008